(57)【要約】【課題】本発明は、永久磁石とフライホィール間に空隙を形成することなく渦電流の発生を抑制できる外転型永久磁石式回転電機を提供することにある。【解決手段】本発明は、フライホィール６の内周面の少なくとも固定子鉄心４に対向する範囲の全周に、圧粉磁心９，９Ａ，１１，１１Ａを介在させたのである。  圧粉磁心９，９Ａ，１１，１１Ａは、磁性粉が個々に電気的に絶縁されたものであり、個々の磁性粉を介して電流が流れることを十分に抑止することができる。したがって、永久磁石７とフライホィール６間に空隙を形成することなく、渦電流の流れを遮断できるのである。さらに、永久磁石７とフライホィール６間の磁路は、圧粉磁心によって保持されるので磁気抵抗の増加も抑制することができる。【選択図】図１
2007336771.tif 000002
【特許請求の範囲】
【請求項１】
回転子の内径側に固定子が位置し、前記回転子が円筒状のフライホィールとその内周面に設置された複数の永久磁石とで構成され、前記固定子が前記永久磁石に対して径方向の微小隙間を介して対向する磁極を有する固定子鉄心とそれに巻装された固定子巻線とで構成されている外転型永久磁石式回転電機において、前記フライホィールの内周面の少なくとも前記固定子鉄心に対向する範囲の全周に、圧粉磁心を介在させたことを特徴とする外転型永久磁石式回転電機。
【請求項２】
回転子の内径側に固定子が位置し、前記回転子が円筒状のフライホィールとその内周面に設置された複数の永久磁石とで構成され、前記固定子が前記永久磁石に対して径方向の微小隙間を介して対向する磁極を有する固定子鉄心とそれに巻装された固定子巻線とで構成されている外転型永久磁石式回転電機において、前記フライホィールの内周面の少なくとも前記永久磁石が設置される範囲の全周に、圧粉磁心を介在させたことを特徴とする外転型永久磁石式回転電機。
【請求項３】
前記圧粉磁心は、圧粉磁心製のシート状に形成されていることを特徴とする請求項１または２記載の外転型永久磁石式回転電機。
【請求項４】
回転子の内径側に固定子が位置し、前記回転子が円筒状のフライホィールとその内周面に設置された複数の永久磁石とで構成され、前記固定子が前記永久磁石に対して径方向の微小隙間を介して対向する磁極を有する固定子鉄心とそれに巻装された固定子巻線とで構成されている外転型永久磁石式回転電機において、前記フライホィールの内周面の少なくとも前記永久磁石が設置される範囲の全周に、複数の溝を形成し、この溝内に圧粉磁心を介在させたことを特徴とする外転型永久磁石式回転電機。
【請求項５】
前記溝は、前記フライホィールの内周面に螺旋状に形成された溝であることを特徴とする請求項４記載の外転型永久磁石式回転電機。
【請求項６】
前記溝は、前記フライホィールの内周面に形成された環状の溝であることを特徴とする請求項４記載の外転型永久磁石式回転電機。
【請求項７】
前記溝は、前記フライホィールの内周面に形成された軸方向に沿う溝であることを特徴とする請求項４記載の外転型永久磁石式回転電機。
【請求項８】
前記溝は、開口側の幅が狭く内側の幅が広く形成されていることを特徴とする請求項４記載の外転型永久磁石式回転電機。
【発明の詳細な説明】
【技術分野】
【０００１】
本発明は発電機や電動機等を構成する外転型永久磁石式回転電機に係り、特に、回転子の内径側に固定子が位置し、前記回転子が円筒状のフライホィールとその内周面に設置された複数の永久磁石とで構成された外転型永久磁石式回転電機に関する。
【背景技術】
【０００２】
固定子の外周側に回転子が位置し、その回転子が円筒状のフライホィールとその内周面に設置された複数の永久磁石とで構成された外転型永久磁石式回転電機は、例えば特許文献１に開示されているように、既に提案されている。
【０００３】
そして、この種、外転型永久磁石式回転電機は、固定子と回転子間を鎖交する磁束が回転子の回転に伴って変化するので、フライホィールの内周面に渦電流が流れ、渦電流損を発生させる。
【０００４】
このような渦電流を抑制する手段として、例えば特許文献２に示すように、渦電流が流れる表面に複数の溝を設けて渦電流の流れを抑制することが行われている。
【０００５】
【特許文献１】特開２００６−３４０５６号公報
【特許文献２】特開２００４−２６０９５１号公報
【発明の開示】
【発明が解決しようとする課題】
【０００６】
上記特許文献２に示す渦電流抑制構成を利用して、フライホィールの内周面に複数の溝を設けて渦電流の流れを抑制しようとすると、永久磁石とフライホィールの内周面との間に複数の溝による空隙が形成されることになる。しかし、永久磁石とフライホィール間の空隙は、永久磁石とフライホィール間に形成される磁路の磁気抵抗を増加させることになって回転電機の磁気特性を低下させる問題がある。
【０００７】
本発明の目的は、永久磁石とフライホィール間に空隙を形成することなく渦電流の発生を抑制できる外転型永久磁石式回転電機を提供することにある。
【課題を解決するための手段】
【０００８】
本発明は上記目的を達成するために、フライホィールの内周面の少なくとも固定子鉄心に対向する範囲の全周に、圧粉磁心を介在させたのである。
【０００９】
圧粉磁心は、磁性粉が個々に電気的に絶縁されたものであり、個々の磁性粉を介して電流が流れることを十分に抑止することができる。したがって、この磁性粉を集合させた圧粉磁心をフライホィールの内周面の少なくとも永久磁石が設置される範囲の全周に介在させることで、永久磁石とフライホィール間に空隙を形成することなく、渦電流の流れを遮断することができると共に、永久磁石とフライホィール間の磁路は、圧粉磁心によって保持されるので磁気抵抗の増加も抑制することができ、回転電機の磁気特性の低下を抑制することができるのである。
【発明の効果】
【００１０】
以上説明したように本発明によれば、永久磁石とフライホィール間に空隙を形成することなく渦電流の発生を抑制できる外転型永久磁石式回転電機を得ることができる。
【発明を実施するための最良の形態】
【００１１】
以下本発明による外転型永久磁石式回転電機の第１の実施の形態を図１及び図２に基づいて説明する。
【００１２】
外転型永久磁石式回転電機は、内側に位置する固定子１と、この固定子１の外周側に径方向の微小空隙を介して対向配置される外転型の回転子２とで構成されている。
【００１３】
そして、前記固定子１は、複数の珪素鋼板を積層し放射状に突出し例えば１８極の磁極３を形成した固定子鉄心４と、この固定子鉄心４を積層方向両側から挟圧する端板５Ａ，５Ｂと、固定子鉄心４の磁極３に対して夫々集中巻に巻装された図示しない固定子巻線とを備えている。前記固定子巻線は、電気角の位相により、三相結線されている。このように構成された固定子１は、その中心部を図示しない固定軸に支持されている。
【００１４】
一方、前記回転子２は、固定子１を支持した図示しない固定軸に回転自在に軸支された円筒状のフライホィール６と、このフライホィール６の内周面の前記固定子鉄心４に対向する位置に周方向に沿って複数、例えば、２０個取り付けた永久磁石７とで構成され、前記複数の永久磁石７はＮ極とＳ極とが交互に位置するように配置されている。
【００１５】
さらに、詳細は図２に示すように、前記フライホィール６の永久磁石の設置位置を含めた内周面には、複数の環状の溝８が軸方向に等間隔で並設されており、その溝８内には圧粉磁心９が充填されて満たされている。
【００１６】
ところで、例えば磁極３の数が１８で、５０００ｒｐｍで回転する回転電機において、スロットリップル周波数は１５００Ｈｚとなるために、比透磁率を１０００、導電率を６６７００００ｓ／ｍと仮定すると、磁場浸透深さは約０．１６ｍｍになる。したがって、圧粉磁心９の厚み、云い代えれば、溝８の深さは０．２ｍｍ程度で十分であるが、溝８の加工性と圧粉磁心９の強度保持を考慮すると、溝８の深さは０．５ｍｍ程度とすることが望ましい。
【００１７】
上記のように構成することで、固定子１と回転子２間を鎖交する磁束によってフライホィール６の内周面に渦電流が発生しようとするが、その内周面には複数の溝８が切られているので渦電流は遮断され、その結果、渦電流損の発生はなくなる。又、複数の溝８を切ることで、永久磁石７とフライホィール６の内周面との間に空隙が生じるが、前記溝８内には圧粉磁心９が充填されて磁路の機能を有しているので、永久磁石７とフライホィール６間に形成される磁路の磁気抵抗の増加は解消され、回転電機の磁気特性の低下を防止することができる。
【００１８】
上記実施の形態において、前記溝８は、環状の溝を軸方向に間隔を置いて複数設けるので、円筒状のフライホィール６の内周面へは１本１本ごとの溝加工となるので、溝加工作業が厄介になることが懸念される。したがって、加工作業の軽減を考慮すると、１本或いは複数本の溝を螺旋状に切り、最終的に、図２に示す断面から見て複数の溝８が存在するようにすることが望ましい。
【００１９】
図３及び図４は、本発明による外転型永久磁石式回転電機の第２の実施の形態を示すものである。尚、図１及び図２と同一符号は同一部品を示すので、再度の詳細な説明は省略する。
【００２０】
図３及び図４の実施の形態において、第１の実施の形態と異なる構成は、永久磁石７が位置するフライホィール６の内周面では、永久磁石７との接着面を確保して接着剤による接着を確実にするために、隣接する溝８間の凸部８Ｐの数を増やし、永久磁石７が位置していない内周面では永久磁石７を接着する必要がないので、隣接する溝８Ａ間の凸部８Ｐの数を少なくしている点である。そして、永久磁石７の接着をより強固にするために、永久磁石７が接着される内周面の溝８間の凸部８Ｐの内径側（表面側）の幅Ｗ６を外形側（内側）の幅Ｗ５よりも広くしている。
【００２１】
さらに、第２の実施の形態においては、各溝８，８Ａ内に充填した圧粉磁心９，９Ａが、フライホィール６の回転及び回転時の各種振動によって外れないように、溝８，８Ａの開口側の幅Ｗ２，Ｗ４に対して内側の幅Ｗ１，Ｗ３を広くしている。
【００２２】
上記実施の形態によれば、永久磁石７の保持を安定にし充填した圧粉磁心９，９Ａの溝８，８Ａからの外れを防止できると共に、第１の実施の形態と同等の効果を有するものである。
【００２３】
図５は、本発明による外転型永久磁石式回転電機の第３の実施の形態を示すものである。尚、図１及び図２と同一符号は同一部品を示すので、再度の詳細な説明は省略する。
【００２４】
図５に示す実施の形態において、図１〜図４に示す実施の形態と異なる構成は、フライホィール６の内周面に軸方向に沿った溝１０，１０Ａを周方向に間隔をおいて複数形成し、これら溝１０，１０Ａ内に圧粉磁心１１，１１Ａを充填させて点である。
【００２５】
このように構成することでも、固定子１と回転子２間を鎖交する磁束によってフライホィール６の内周面に渦電流が発生しようとするが、その内周面には複数の溝１０，１０Ａが切られているので渦電流は遮断され、その結果、渦電流損の発生はなくなる。又、複数の溝１０，１０Ａを切ることで、永久磁石７とフライホィール６の内周面との間に空隙が生じるが、前記溝１０，１０Ａ内には圧粉磁心１１，１１Ａが充填されて磁路の機能を有しているので、永久磁石７とフライホィール６間に形成される磁路の磁気抵抗の増加は解消され、回転電機の磁気特性の低下を防止することができる。
【００２６】
さらに、溝１０，１０Ａが軸方向に沿っているので、溝内への圧粉磁心１１，１１Ａの充填が容易になる。その他の溝間隔や凸部１０Ｐの幅などの構成は、第２の実施の形態と同じである。
【００２７】
上記第３の実施の形態によっても、上述の各実施の形態と同じ効果を奏することができる。
【００２８】
ところで、上記第１〜第３の実施の形態においては、永久磁石７が設置されないフライホィール６の内周面にも溝８，８Ａ，１０Ａを設けたが、これら永久磁石７が設置されていない位置の溝は省略しても、溝の間隔を永久磁石７が設置されている場所に較べて広くしても差し支えない。さらに、漏洩磁束による渦電流を考慮して永久磁石の設置位置とその近傍に溝８，８Ａ，１０，１０Ａと圧粉磁心９，９Ａ，１１，１１Ａを設けるようにしてもよい。
【００２９】
また、上記各実施の形態は、フライホィール６の内周面で、特に、固定子鉄心に対向する範囲の全周、云い代えれば、永久磁石７が設置される範囲の全周に溝８，８Ａ，１０Ａを形成することを前提としている。しかしながら、必ずしもフライホィール６の内周面に溝８，８Ａ，１０Ａを形成する必要はなく、例えば、上述の磁場浸透深さを考慮した圧粉磁心の薄膜層を、フライホィール６の内周面の少なくとも永久磁石７が設置される範囲の全周に、接着剤等によって貼り付けたり塗料のように塗布したりしても、さらには圧粉磁心をシート状に形成し、それを貼り付けるようにしても、圧粉磁心の機能を活かして渦電流の発生を抑制することができる。
【図面の簡単な説明】
【００３０】
【図１】本発明による外転型永久磁石式回転電機の第１の実施の形態を示す要部斜視図。
【図２】図１の断面拡大図。
【図３】本発明による外転型永久磁石式回転電機の第２の実施の形態を示す図２相当図。
【図４】図３のＡ部の拡大図。
【図５】本発明による外転型永久磁石式回転電機の第３の実施の形態を示す図２相当図。
【符号の説明】
【００３１】
１…固定子、２…回転子、３…磁極、４…固定子鉄心、５Ａ，５Ｂ…端板、６…フライホィール、７…永久磁石、８，８Ａ，１０，１０Ａ…溝、９，９Ａ，１１，１１Ａ…圧粉磁心、８Ｐ，１０Ｐ…凸部。
【図１】
2007336771.tif 000003
【図２】
2007336771.tif 000004
【図３】
2007336771.tif 000005
【図４】
2007336771.tif 000006
【図５】
2007336771.tif 000007